(57)【要約】【課題】外部からの操作に応じて対応するリールの停止操作を行う複数の第１停止操作手段と、相互に近接して配置され、合わせた外形が第１停止操作手段の外形と同一視されるように構成された複数の第２停止操作手段とを設けることで、一つの操作により複数のリールの停止操作を行い、早く遊技を進めることができる遊技機を提供する。【解決手段】本遊技機１は、外部からの操作に応じて対応するリール３Ｌ・３Ｃ・３Ｒ・３Ｓの図柄の変動表示の停止を指令する停止指令信号を出力する停止ボタン７Ｌ・７Ｃと、相互に近接して配置されており、合わせた外形が停止ボタン７Ｌ・７Ｃの外形と同一視されるように構成され、外部からの操作に応じて停止指令信号を出力する停止ボタン７Ｒ・７Ｓとを備えた構成とする。【選択図】図２
2009101002.tif 000002
【特許請求の範囲】
【請求項１】
操作に応じて遊技開始指令信号を出力する遊技開始指令手段と、
前記遊技開始指令手段から出力された前記遊技開始信号を検出したことに基づいて、複数種類の図柄から構成されている識別情報を変動表示する変動表示手段と、
前記遊技開始指令手段から出力された前記遊技開始信号と遊技状態とに基づいて、当籤役を決定する当籤役決定手段と、
外部からの操作に応じて対応する前記変動表示手段の前記識別情報の変動表示の停止を指令する停止指令信号を出力する複数の第１停止操作手段と、
相互に近接して配置されており、合わせた外形が前記第１停止操作手段の外形と同一視されるように構成され、外部からの操作に応じて前記停止指令信号を出力する複数の第２停止操作手段と、
前記停止指令信号を検知したことに応じて、前記停止指令信号に対応する前記変動表示手段の識別情報の変動表示を停止させる停止制御手段と、
を備えたことを特徴とする遊技機。
【請求項２】
前記第２停止操作手段は、半円状の形状をしており、前記第２停止操作手段を合わせた外形が円形状となっていることを特徴とする請求項１に記載の遊技機。
【請求項３】
前記第２停止操作手段の一つは、環状の形状をしており、
前記第２停止操作手段の一つは、前記環状の形状をした第２停止操作手段内に設けられていることを特徴とする請求項１に記載の遊技機。
【請求項４】
前記第２停止操作手段は、前記第２停止操作手段の操作面を少なくともカバーし、かつ弾力性を有するカバー部材を備えていることを特徴とする請求項１ないし３のいずれか１項に記載の遊技機。
【発明の詳細な説明】
【技術分野】
【０００１】
本発明は、相互に近接して配置された第２停止操作手段を備えた遊技機に関する。
【背景技術】
【０００２】
一般的に、パチスロ遊技装置等の設置された遊技店では、遊技機の操作に応じて様々な演出及び報知手段が試されている。そして、遊技者が、外部からの操作、基本的には指での目押し等を行うことにより一つの停止操作ボタンの操作で一つのリールの停止制御を行い遊技を進行させていくのが一般的である。例えば、特許文献１には、同時に複数の停止操作ボタンが入力された場合に、その入力を無効化する技術が開示されている。これによれば、一つの停止操作ボタンの操作で一つのリールの停止制御を行うことになる。
【０００３】
しかし、パチスロ等の遊技は比較的長時間遊技を継続して行うため、停止ボタンを操作してリールの停止操作を行う場合に、一度の停止操作ボタンの操作で複数のリールの停止操作を行い遊技を早く進めたいという遊技者も存在する。これは、リールが多数設置されている遊技機ではとりわけ顕著である。
【０００４】
この点、特許文献２には、メインのリールを停止させる停止ボタンと、サブリールを停止させる停止ボタンとが、独立して逆向きの半円形状で、近接して配置されている遊技機が開示されている。これによれば、メインリールを停止させる停止ボタンと、サブリールを停止させる停止ボタンとを、同時にも個別にも操作することができ、メインのリールおよびサブリールの停止タイミングを選択して停止させることができるものである。
【０００５】
【特許文献１】特開２０００−１０７３４４公報
【特許文献２】特開２００７−０８９７９１公報
【発明の開示】
【発明が解決しようとする課題】
【０００６】
しかしながら、これは、あくまで演出用のサブリールを所望のタイミングで停止させるものであり、メインリールを複数同時に停止させるものではない。
【０００７】
そこで、本発明の目的は、上記問題を解決すべく、外部からの操作に応じて対応するリールの停止操作を行う複数の第１停止操作手段と、相互に近接して配置され、合わせた外形が第１停止操作手段の外形と同一視されるように構成された複数の第２停止操作手段とを設けることで、一つの操作により複数のリールの停止操作をテンポを損なわずに行い、早く遊技を進めることができる遊技機を提供することにある。
【課題を解決するための手段及び効果】
【０００８】
本発明の遊技機は、操作に応じて遊技開始指令信号を出力する遊技開始指令手段と、前記遊技開始指令手段から出力された前記遊技開始信号を検出したことに基づいて、複数種類の図柄から構成されている識別情報を変動表示する変動表示手段と、前記遊技開始指令手段から出力された前記遊技開始信号と遊技状態とに基づいて、当籤役を決定する当籤役決定手段と、外部からの操作に応じて対応する前記変動表示手段の前記識別情報の変動表示の停止を指令する停止指令信号を出力する複数の第１停止操作手段と、相互に近接して配置されており、合わせた外形が前記第１停止操作手段の外形と同一視されるように構成され、外部からの操作に応じて前記停止指令信号を出力する複数の第２停止操作手段と、前記停止指令信号を検知したことに応じて、前記停止指令信号に対応する前記変動表示手段の識別情報の変動表示を停止させる停止制御手段とを備えたことを特徴とする。
【０００９】
上記の構成によれば、第２停止操作手段が、相互に近接して配置されているため、遊技者の所望のタイミングで第２停止操作手段を同時にも個別にも操作することができる。また、第２停止操作手段を合わせた外形が第１停止操作手段の外形と同一視されるように構成されているため、遊技者は、第１停止操作手段と第２停止操作手段を連続して操作をする場合、テンポを損なわずに操作をすることができる。これにより、一つの操作により複数の変動表示手段の識別情報の変動表示をテンポを損なわずに停止させることができるため、遊技者は早く遊技を進めることができる。
【００１０】
また、本発明の遊技機において、前記第２停止操作手段は、半円状の形状をしており、前記第２停止操作手段を合わせた外形が円形状となっていることを特徴としてもよい。
【００１１】
上記の構成によれば、第２停止操作手段は、半円状の形状をしており、第２停止操作手段を合わせた外形が円形状となっているため、遊技者は、第２停止操作手段を合わせた部分を押圧することで一つの操作により複数の変動表示手段の識別情報の変動表示をテンポを損なわずに停止させることができる。これにより、遊技者は、半円状の第２停止操作手段を押圧することで第２停止操作手段を個別に操作することができ、半円状の第２停止操作手段を合わせた部分を押圧することで複数の第２停止操作手段を同時に操作することができるので、遊技者の所望のタイミングで複数の第２停止操作手段を押し分けることができる。
【００１２】
また、本発明の遊技機において、前記第２停止操作手段の一つは、環状の形状をしており、前記第２停止操作手段の一つは、前記環状の形状をした第２停止操作手段内に設けられていることを特徴としてもよい。
【００１３】
上記の構成によれば、環状の形状をした第２停止操作手段と、その内に設けられた第２停止操作手段を備えているため、遊技者は、環状の形状をした第２停止操作手段と、その内に設けられた第２停止操作手段の近接部分を押圧することで一つの操作により複数の変動表示手段の識別情報の変動表示をテンポを損なわずに停止させることができる。これにより、遊技者は、環状の形状をした第２停止操作手段又はその内に設けられた第２停止操作手段を押圧することで第２停止操作手段を個別に操作することができ、環状の形状をした第２停止操作手段と、その内に設けられた第２停止操作手段の近接部分を押圧することで第２停止操作手段を同時に操作することができるので、遊技者の所望のタイミングで複数の第２停止操作手段を押し分けることができる。
【００１４】
また、本発明の遊技機において、前記第２停止操作手段は、前記第２停止操作手段の操作面を少なくともカバーし、かつ弾力性を有するカバー部材を備えていてもよい。
【００１５】
上記の構成によれば、カバー部材が第２停止操作手段の操作面をカバーしているため、外部からは第２停止操作手段が、相互に近接して設けられていることを分からなくすることができる。また、カバーが弾力性を有するため、カバー表面へ押圧する部分や力の変化により、遊技者の意図するところとは別に複数の第２停止操作手段を同時にも個別にも操作することができる。これにより、複数の第２停止操作手段の押し分けを難しくすることができ、遊技者に第２停止操作手段を操作する際に多様な操作感覚を与えることができる。
【発明を実施するための最良の形態】
【００１６】
（実施の形態１）
本発明の実施の形態１を図１ないし図７に基づいて以下に説明する。
【００１７】
本実施形態にかかる遊技機は、所謂『パチスロ機』であり、複数の図柄の変動表示を入賞ライン上に停止して表示される図柄に基づいて特定の入賞態様が成立するように、遊技者の操作の検知により変動表示を停止可能に構成されている。尚、遊技機は、コインやメダル、遊技球等の他、遊技者に付与された、若しくは付与される遊技価値の情報を記憶したカード等の遊技媒体を用いて遊技するものであるが、以下の説明においては、遊技媒体や遊技価値としてメダルを用いて説明する。
【００１８】
（遊技機の構成）
図１は、遊技機１の外観を示す正面図である。遊技機１の全体を形成しているキャビネット２の正面には、液晶表示装置５が設置されている。液晶表示装置５は、後述する４個のリール３Ｌ・３Ｃ・３Ｒ・３Ｓと同期する疑似リールや、キャラクタ等による演出画像等を表示することが可能となっている。
【００１９】
液晶表示装置５の下方には、斜め上方に開口したリール表示窓２ａが形成されている。そして、リール表示窓２ａの奥には、変動表示手段としての４個のリール３Ｌ・３Ｃ・３Ｒ・３Ｓが設けられている。図３の図柄配置表に示すように、３個のリール３Ｌ・３Ｃ・３Ｒは、それぞれその外周面に複数の図柄からなる図柄列が記されている。図柄列は、「００」〜「２０」のコードナンバーが付された複数種類の図柄からなっている。具体的には、「赤７」１２０、「青７」１２６、「プラム」１２２、「ＢＡＲ」１２４、「スイカ」１２３、「Ｒｅｐｌａｙ」１２１及び「チェリー」１２５の図柄からなっている。また、リール３Ｓは、「星印」１３０の図柄と「ブランク」１３１からなっている。
【００２０】
各リールは、定速回転（例えば８０回転／分）で回転する。上記の図柄列中における「赤７」１２０、「青７」１２６は、特定の入賞態様を構成するものとして設定されている。ここで、特定の入賞態様とは、後述のＢＢ（ビッグボーナス）やＲＢ（レギュラーボーナス）のボーナスが成立する入賞態様を意味する。
【００２１】
リール３Ｌ・３Ｃ・３Ｒ・３Ｓの各図柄は、キャビネット２の正面から縦方向に３つずつ、合計１２つの図柄が視認できるようになっている。また、リール３Ｌ・３Ｃ・３Ｒの視認可能な９つの図柄の停止位置に対応して、５本の入賞ラインが設定されている。即ち、上下方向に３つ並ぶ図柄を水平に横切るトップライン、センターライン及びボトムライン、斜め方向に横切るクロスダウンライン、クロスアップラインが設けられている。これら各入賞ラインは、遊技者に視認可能に表示してもよいし、表示しなくてもよい。
【００２２】
これらの入賞ラインは、後述の１−ＢＥＴボタン１１、最大ＢＥＴボタン１２を操作すること、或いはメダル投入口２２にメダルを投入することにより、１枚賭け時は１本（センターラインのみ）、２枚賭け時（１−ＢＥＴボタン１１を２回操作（押圧）又は、メダルを２枚投入）は３本（センターラインに加え、トップライン、ボトムライン）、最大枚数（本実施例では３枚）賭け時は５本（２枚賭け時の３本に加え、クロスダウンライン、クロスアップライン）が有効化される。入賞ラインは、役の入賞の成否に関わる。具体的には、所定の役に対応する図柄組み合せを構成する図柄が何れかの有効化された入賞ラインに対応する所定の位置に並んで停止表示されることにより、所定の役の入賞が成立することとなる。以下の説明において、有効化された入賞ラインを有効ラインと言う場合がある。
【００２３】
リール表示窓２ａの左側には、払出枚数及びクレジット数を表示する表示部１７が設けられている。表示部１７は、７セグメント表示器からなり、最大４桁の数値が表示される。そして、左側２桁部分には、貯留されているメダルの枚数（クレジット数）が表示され、右側２桁部分には、入賞成立時のメダルの払出枚数を表示される。
【００２４】
表示部１７の右側には、メダル投入ランプ１８、１−ＢＥＴランプ９ａ、２−ＢＥＴランプ９ｂ及び最大ＢＥＴランプ９ｃが設けられている。メダル投入ランプ１８は、メダルの投入が受け付け可能であるときに点滅する。１−ＢＥＴランプ９ａ、２−ＢＥＴランプ９ｂ及び最大ＢＥＴランプ９ｃは、一のゲーム（単位遊技）を行うために賭けられたメダルの数（以下、ＢＥＴ数ともいう）に応じて点灯する。尚、一のゲームは、全てのリールが停止したとき、又は、メダルの払い出しが行われる場合には、メダルが払い出されたときに終了する。
【００２５】
また、表示部１７の左側には、遊技開始表示ランプ１９及びリプレイランプ２０が設けられている。遊技開始表示ランプ１９は、入賞ラインの少なくとも１本が有効化されたときに点灯する。リプレイランプ２０は、後述の「リプレイ」に入賞したときに点灯する。即ち、リプレイランプ２０が点灯している場合は、メダルを投入することなく、ゲームを開始できる。
【００２６】
リール表示窓２ａ及び表示部１７の下方には、水平面を有する台座部１０が形成されている。台座部１０の左側には、１−ＢＥＴボタン１１及び最大ＢＥＴボタン１２が設けられている。１−ＢＥＴボタン１１は、１回の押し操作により、クレジットされているメダルのうちの１枚をゲームへの賭け枚数とし、２回の押し操作により、クレジットされているメダルのうちの２枚をゲームへの賭け枚数とする。最大ＢＥＴボタン１２は、１回のゲームに賭けることが可能な最大枚数（本実施例では、３枚）をゲームへの賭け枚数とする。このＢＥＴボタン１１・１２を操作することで、上述の入賞ラインが有効化されるようになっている。
【００２７】
また、台座部１０の前面部の左寄りには、遊技者が遊技で獲得したメダルのクレジット／払い出しを押し操作により切り替える貯留メダル精算ボタン１４（以下、Ｃ／Ｐボタン１４と言う）が設けられている。このＣ／Ｐボタン１４の切り替えにより「払い出し」が選択された場合には、正面下部のメダル払出口１５からメダルが払い出され、払い出されたメダルはメダル受部１６に溜められる。一方、「クレジット」が選択された場合には、遊技機１が備えるメモリ（例えば、後述するＲＡＭ３３等）にメダル数がクレジットとして記憶される。
【００２８】
Ｃ／Ｐボタン１４の右側には、遊技者の操作によりリール３Ｌ・３Ｃ・３Ｒ・３Ｓを回転させるための遊技開始指令手段としてのスタートレバー６が所定の角度範囲で回動自在に取り付けられている。台座部１０の前面部中央には、後述する４個のリール３Ｌ・３Ｃ・３Ｒ・３Ｓの回転をそれぞれ停止させるための４個の第１停止操作手段としての停止ボタン７Ｌ・７Ｃ及び第２停止操作手段としての停止ボタン７Ｒ・７Ｓが操作パネル９０上に設けられている。
【００２９】
また、台座部１０の右側には、メダル投入口２２が設けられている。さらに、キャビネット２の上方の左右には、スピーカ２１Ｌ・２１Ｒが設けられ、スピーカ２１Ｌ・２１Ｒの間にはＬＥＤランプ２９が設けられており、遊技状態に応じた演出に伴い、点滅等するようになっている。さらに、正面下部のメダル払出口１５の右側にもスピーカ２１Ｂが設けられている。
【００３０】
ここで、液晶表示装置５の構造について説明する。液晶表示装置５は、保護ガラスと表示板とからなる正面パネル、透明液晶パネル、導光板、反射フィルム、所謂白色光源である蛍光ランプ、ランプホルダ、及び、透明液晶パネル駆動用のＩＣを搭載したテーブルキャリアパッケージ（ＴＣＰ）からなり、ＴＣＰは、透明液晶パネルの端子部に接続したフレキシブル基板等により構成される。
【００３１】
（停止ボタン７Ｌ・７Ｃ・７Ｒ・７Ｓの構造）
図２は、操作パネル９０上の停止ボタン７Ｌ・７Ｃ・７Ｒ・７Ｓの構造を説明するための図である。図２（Ａ）は、操作パネル９０の平面図であり、図２（Ｂ）は、操作パネル９０の断面図である。
【００３２】
操作パネル９０は、キャビネット２の内部からキャビネット２の前面に取付けられている。そして、操作パネル９０は、基板９１の収容された基板収容体９２に停止ボタン部材９９・９９Ｒ・９９Ｓを挿通さるための穴の形成されたハウジング９３が係合片９４によりキャビネット２に固定され、さらに、その上部に停止ボタン受け凹部９５および停止ボタン挿入穴９６が形成された表面パネル９７が取付けられ、最後にバネ部材９８の挿通された停止ボタン部材９９・９９Ｒ・９９Ｓが表面パネル９７上部からハウジング９３までを挿通して組付けられることにより構成されている。
【００３３】
そして、停止ボタン７Ｌにおける停止ボタン部材９９には遮光片部１００と停止ボタン挿入部１０１とが形成されている。一方、基板９１の所定位置には、停止ボタン部材９９等で構成される停止ボタン７Ｌの押圧による遮光片部１００の変位を検出するための変位センサー１０２が設けられている。なお、停止ボタン７Ｃの構造も同様である。
【００３４】
また、停止ボタン７Ｒ・７Ｓにおける停止ボタン部材９９Ｒ・９９Ｓには遮光片部１００Ｒ・１００Ｓと停止ボタン挿入部１０１Ｒ・１０１Ｓとがそれぞれ形成されており、停止ボタン部材９９Ｒおよび停止ボタン部材９９Ｓは、図２（Ａ）・（Ｂ）に示すように、それぞれ逆向きの半円状の形状をしており、停止ボタン部材９９Ｒと停止ボタン部材９９Ｓをそれぞれ合わせた形が円形状となっている。一方、基板９１の所定位置には、停止ボタン部材９９Ｒ・９９Ｓ等で構成される各停止ボタン７Ｒ・７Ｓの押圧による遮光片部１００Ｒ・１００Ｓの変位を検出するための変位センサー１０２Ｒ・１０２Ｓがそれぞれ設けられている。
【００３５】
このように、第２停止操作手段としての各停止ボタン７Ｒ・７Ｓが、半円状の形状をしており、停止ボタン７Ｒ・７Ｓを合わせた外形が円形状となっているため、遊技者は、停止ボタン７Ｒ・７Ｓを合わせた部分を押圧することで一つの操作によりリール３Ｒ・３Ｓをテンポを損なわずに停止させることができる。これにより、遊技者は、半円状の停止ボタン７Ｒ・７Ｓを押圧することで各停止ボタン７Ｒ・７Ｓを個別に操作することができ、半円状の停止ボタン７Ｒ・７Ｓを合わせた部分を押圧することで停止ボタン７Ｒ・７Ｓを同時に操作することができるので、遊技者の所望のタイミングで停止ボタン７Ｒ・７Ｓを押し分けることができる。
【００３６】
（遊技機１の電気的構成：主制御回路７１）
上記のように構成された遊技機１は、図４に示すように、主基板に設けられた主制御回路７１と、副基板に設けられた副制御回路７２とで動作が制御されている。主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、主基板側記憶手段であるＲＯＭ３２及びＲＡＭ３３を有している。
【００３７】
当籤役決定手段としてのＣＰＵ３１には、基準クロックパルスを発生するクロックパルス発生回路３４及び分周器３５と、サンプリングされる乱数を発生する乱数発生器３６及びサンプリング回路３７とが接続されている。乱数発生器３６は、一定の数値範囲に属する乱数を発生する。サンプリング回路３７は、スタートレバー６が操作された後の適宜のタイミングで１個の乱数をサンプリングする。そして、当籤役決定手段としてのＣＰＵ３１は、これらの乱数発生器３６及びサンプリング回路３７でサンプリングされた乱数及びＲＯＭ３２内に格納されている確率抽籤テーブルに基づいて、内部当籤役を決定するようになっている。
【００３８】
尚、乱数サンプリングのための手段として、マイクロコンピュータ３０内で、即ち、ＣＰＵ３１の動作プログラム上で乱数サンプリングを実行するように構成してもよい。その場合、乱数発生器３６及びサンプリング回路３７は省略可能であり、或いは、乱数サンプリング動作のバックアップ用として残しておくことも可能である。
【００３９】
上記のマイクロコンピュータ３０からの制御信号により動作が制御される主要なアクチュエータとしては、各種ランプ（ＢＥＴランプ９ａ・９ｂ・９ｃ、リプレイランプ２０、遊技開始表示ランプ１９、メダル投入ランプ１８）と、表示部１７と、メダルを収納し、ホッパー駆動回路４１の命令により所定枚数のメダルを払い出す上述のホッパー（払出しのための駆動部を含む）４０と、リール３Ｌ・３Ｃ・３Ｒ・３Ｓを回転駆動するステッピングモータ４９Ｌ・４９Ｃ・４９Ｒ・４９Ｓとがある。
【００４０】
さらに、ステッピングモータ４９Ｌ・４９Ｃ・４９Ｒ・４９Ｓを駆動制御するモータ駆動回路３９、ホッパー４０を駆動制御するホッパー駆動回路４１、各種ランプを駆動制御するランプ駆動回路４５、及び表示部１７を駆動制御する表示部駆動回路４８がＩ／Ｏポート３８を介してＣＰＵ３１の出力部に接続されている。これらの駆動回路は、それぞれＣＰＵ３１から出力される駆動指令等の制御信号を受けて、各アクチュエータの動作を制御する。
【００４１】
また、停止制御手段としての主制御回路７１は、制御指令を発生するために必要な入力信号を発生する入力信号発生手段に接続されている。主な入力信号発生手段としては、スタートスイッチ６Ｓ、１−ＢＥＴボタン１１、最大ＢＥＴボタン１２、Ｃ／Ｐボタン１４、投入メダルセンサ２２Ｓ、停止制御手段としてのリール停止信号回路４６、リール位置検出回路５０、払出完了信号回路５１がある。これらもＩ／Ｏポート３８を介してＣＰＵ３１に接続されている。
【００４２】
スタートスイッチ６Ｓは、スタートレバー６の操作を検出する。投入メダルセンサ２２Ｓは、メダル投入口２２に投入されたメダルを検出する。リール停止信号回路４６は、各停止ボタン７Ｌ・７Ｃ・７Ｒ・７Ｓの操作を変位センサー１０２・１０２Ｒ・１０２Ｓが検出したことに応じて停止信号及びモータ駆動回路３９に始動信号を発生する。リール位置検出回路５０は、リール回転センサからのパルス信号を受けて各リール３Ｌ・３Ｃ・３Ｒ・３Ｓの位置を検出するための信号をＣＰＵ３１へ供給する。払出完了信号回路５１は、メダル検出部４０ｓの計数値（ホッパー４０から払出されたメダルの枚数）が指定された枚数データに達した時、メダル払出完了を検知するための信号を発生する。
【００４３】
また、主制御回路７１のＲＡＭ３３には、種々の情報が一時的に格納される。例えば、実行中の遊技状態や、投入されたメダルの枚数、遊技データ等が格納される。一方、主制御回路７１のＲＯＭ３２には、スタートレバー６を操作（スタート操作）する毎に行われる乱数サンプリングの判定に用いられる確率抽籤テーブルや停止ボタンの操作に応じてリールの停止態様を決定するための停止テーブル群等の各種のデータテーブルと、副制御回路７２へ送信するための各種制御指令（コマンド）等が格納されている。また、ＲＯＭ３２には、後述の各処理ルーチンを実行するプログラム等が格納されている。
【００４４】
尚、ＲＡＭ３３、ＲＯＭ３２はＨＤＤ、ＲＡＭ、フラッシュメモリなどの記憶媒体を用いても良い。
【００４５】
（遊技機１の電気的構成：副制御回路７２）
上記の主制御回路７１は、副制御回路７２にコマンドや情報等を一方向に出力可能に接続されている。副制御回路７２は、図５に示すように、主制御回路７１からの制御指令（コマンド）に基づいて液晶表示装置５の表示制御、スピーカ２１Ｌ・２１Ｒ・２１Ｂからの音の出力制御、ＬＥＤランプ２９の出力制御等の演出制御を行うように構成されている。
【００４６】
副制御回路７２は、主制御回路７１を構成する主基板とは別の副基板上に構成され、マイクロコンピュータ（以下『サブマイクロコンピュータ』という）７３を主たる構成要素とし、液晶表示装置５の表示制御手段としての画像制御回路８１、スピーカ２１Ｌ・２１Ｒ・２１Ｂから出力させる音声を制御する音源ＩＣ７８、及び増幅器としてのパワーアンプ７９、ＬＥＤランプ２９を駆動するＬＥＤ駆動回路７７を備えている。
【００４７】
また、画像制御回路８１は、画像制御ＩＣ８２、画像制御ワークＲＡＭ８３、画像ＲＯＭ８６、及びビデオＲＡＭ８７で構成される。画像制御ＩＣ８２は、サブマイクロコンピュータ７３で設定されたパラメータに基づき、画像制御プログラムに従って液晶表示装置５での表示内容を決定する。画像制御ワークＲＡＭ８３は、画像制御プログラムを画像制御ＩＣ８２で実行するときの一時記憶手段（バッファ）として構成される。画像ＲＯＭ８６は、画像を形成するためのドットデータを格納する。ビデオＲＡＭ８７は、画像制御ＩＣ８２で画像を形成するときの一時記憶手段として構成される。尚、副制御回路７２は、クロックパルス発生回路、分周器、乱数発生器及びサンプリング回路を備えていないが、サブＣＰＵ７４の動作プログラム上で乱数サンプリングを実行するように構成されている。
【００４８】
サブマイクロコンピュータ７３は、サブＣＰＵ７４と、副基板側記憶手段としてのプログラムＲＯＭ７５と、ワークＲＡＭ７６を有している。ワークＲＡＭ７６は、上記制御プログラムをサブＣＰＵ７４で実行するときの一時記憶手段として構成される。また、プログラムＲＯＭ７５は、サブＣＰＵ７４で実行する処理ルーチン等の制御プログラムを格納している。
【００４９】
（遊技状態）
以上のように構成された遊技機１は、『一般遊技状態』、『ＲＢ遊技状態』、『ＢＢ遊技状態』及び『リプレイタイム遊技状態』からなる４種類の遊技状態を出現させる。これら「４種類」の各遊技状態は、基本的に、内部当籤する可能性のある役の種類、再遊技に内部当籤する確率及び入賞成立を実現することが可能なボーナスの種別、内部当籤と入賞成立との関係により区別される。
【００５０】
『一般遊技状態』は、基本的に、所謂「出球率」（遊技に賭けられた単位遊技価値に対して遊技者に付与される遊技価値）の期待値が「１」よりも小さい遊技状態であり、他の遊技状態と比べて遊技者にとって最も不利な遊技状態である。
【００５１】
『ＢＢ遊技状態』は、『一般遊技状態』や『リプレイタイム遊技状態』において、ＢＢに内部当籤し、ＢＢに入賞した場合に発生する。ＢＢの入賞は、『一般遊技状態』において「赤７−赤７−赤７−星印」又は「青７−青７−青７−星印」が有効ラインに沿って並ぶことにより成立する。『ＢＢ遊技状態』は、所定枚数のメダルの払い出しが完了すれば終了する。
【００５２】
『ＲＢ遊技状態』は、『一般遊技状態』よりも出玉率の期待値が高く、他の遊技状態と比べて遊技者にとって最も有利な遊技状態である。『ＲＢ遊技状態』は、『一般遊技状態』や『リプレイタイム遊技状態』又は『ＢＢ遊技状態』においてＲＢ（レギュラーボーナス）に入賞した場合に発生する。ＲＢの入賞は、一般遊技状態又はＢＢ遊技状態において「赤７−赤７−青７−星印」が有効ラインに沿って並ぶことにより成立する。なお、各遊技状態間の移行は、ボーナス図柄の組み合せが入賞ライン上に表示されたとき等により移行する。
【００５３】
『リプレイタイム遊技状態』は、『ＢＢ遊技状態』又は『ＲＢ遊技状態』の後に発生する遊技状態である。『リプレイタイム遊技状態』は、メダルを投入しなくても次ゲームが行える再遊技に入賞する確率が『一般遊技状態』よりも高くなっている。即ち、『リプレイタイム遊技状態』では、『一般遊技状態』よりもメダルを減らすことなく遊技が行える可能性が高くなっているため、少しずつメダルを増やしていくことが可能となる。また、『リプレイタイム遊技状態』は、「チェリーの小役」に入賞すると終了し、『一般遊技状態』に移行する。
【００５４】
なお、『リプレイタイム遊技状態』では、遊技者に、「チェリーの小役」に入賞しないようにナビゲートする報知演出が実行されてもよい。
【００５５】
（図柄組み合せと払い出し枚数）
次に、遊技状態と入賞成立を示す図柄組み合せとメダルの払い出し枚数との関係について説明する。一般遊技状態においては、『ＢＢ』と、『ＲＢ』と『再遊技（リプレイ）』と『スイカの小役』と『ＢＡＲの小役』と『チェリーの小役』と『プラムの小役』とに入賞する可能性がある。『ＢＢ』は、「赤７−赤７−赤７−星印」、又は、「青７−青７−青７−星印」が有効ラインに沿って並ぶことにより成立する。『ＲＢ』は、「赤７−赤７−青７−星印」が有効ラインに沿って並ぶことにより成立する。これらのメダルの払い出し枚数は「０枚」である。また、『再遊技（リプレイ）』は、「Ｒｅｐｌａｙ−Ｒｅｐｌａｙ−Ｒｅｐｌａｙ−星印」が並ぶことにより成立する。再遊技の入賞が成立すると、投入したメダルの枚数と同数のメダルが自動投入されるので、遊技者はメダルを消費することなく次回のゲームを行うことができる。また、スイカ、ＢＡＲ、チェリー、プラムの小役の場合、それぞれ６枚、１０枚、６枚、６枚のメダルが払い出される。
【００５６】
ＢＢ遊技状態では、『ＲＢ』と『スイカの小役』と『ＢＡＲの小役』と『チェリーの小役』と『プラムの小役』とに入賞する可能性がある。また、ＲＢ遊技状態においては、『再遊技』、『スイカ』、『ＢＡＲ』、『チェリー』、『プラム』の小役に入賞する可能性がある。スイカ、ＢＡＲ、チェリー、プラムの小役の場合、それぞれ６枚、１０枚、６枚、６枚のメダルが払い出される。
【００５７】
（主制御回路７１の動作：遊技の実行の場面）
上記の構成において、遊技機１の動作について説明する。
【００５８】
先ず、電源が投入されると、遊技機１は、主制御回路７１において図６のメインルーチンを実行することにより遊技を実施可能な状態になると共に、副制御回路７２において図示しないリセットルーチン等をそれぞれ独立して実行することにより液晶表示装置５の演出画像の表示等を実施可能な状態になる。
【００５９】
具体的には、主制御回路７１によりメインルーチン等が実行されると、図６に示すように、ゲーム開始時の初期化が行われた後（Ｓ１）、ゲーム終了時のＲＡＭ３３の所定の記憶内容が消去される（Ｓ２）。
【００６０】
次に、投入メダルセンサ２２ＳやＢＥＴボタン１１・１２からの入力があるまで待機状態となる。そして、入力があると、メダル投入信号を副制御回路７２に送信する（Ｓ３）。この後、スタートレバー６の操作によりスタートスイッチ６Ｓがオンされたか否かを判定する（Ｓ４）。スタートスイッチ６Ｓがオンされなければ（Ｓ４，ＮＯ）、Ｓ４を再実行し、スタートレバー６が操作されるまで待機する。一方、スタートスイッチ６Ｓがオンされると（Ｓ４，ＹＥＳ）、リール回転処理に実行を移行し（Ｓ５）、続いて抽籤用の乱数を抽出する（Ｓ６）。そして、遊技状態監視処理を実行することによって、今回のゲームにおけるＢＢ遊技状態・ＲＢ遊技状態等のボーナス遊技状態、一般遊技状態及びリプレイタイム（ＲＴ）遊技状態等の遊技状態を確認しセットする（Ｓ７）。即ち、今回のゲームの遊技状態をＢＢ遊技状態・ＲＢ遊技状態等のボーナス遊技状態、一般遊技状態及びリプレイタイム（ＲＴ）遊技状態の何れかにセットする。
【００６１】
今回のゲームの遊技状態が確認されると（Ｓ７）、図示しない確率抽籤テーブルに基づく確率抽籤処理において遊技状態に対応した内部当籤役が抽籤され（Ｓ８）、選択された内部当籤役の情報が副制御回路７２に格納される。尚、本実施形態においては、小役、ボーナスの同時抽籤が可能であり、ＲＴ遊技状態においては、リプレイ役の当籤確率が増大した値に設定される。
【００６２】
内部当籤役を決定すると、停止テーブル群選択処理が実行される（Ｓ９）。そして、リール回転停止処理が実行され、何れかの停止ボタン７Ｌ・７Ｃ・７Ｒ・７Ｓが操作されたタイミングで滑りコマ数が決定された後、滑りコマ数分、リールが回転されてから停止される（Ｓ１０）。なお、リール回転停止処理の詳細は後述する。
【００６３】
この後、入賞判定（入賞検索）によりリール３Ｌ・３Ｃ・３Ｒ・３Ｓの図柄の停止態様に基づいて入賞役（入賞が成立した役）が識別される（Ｓ１１）。尚、本実施形態においては、ボーナスフラグの繰り越しはあるが、小役フラグの繰り越し及びボーナスフラグのストックは無いものとする。
【００６４】
そして、遊技状態に応じてメダルのクレジット又は払出しが行われる（Ｓ１２）。尚、ボーナス入賞時に払い出しは無く、小役入賞時だけ払い出しが行われる。
【００６５】
次に、現在の遊技状態がＢＢ遊技状態又はＲＢ遊技状態等のボーナス遊技状態であるか否かが判定される（Ｓ１３）。遊技状態がＢＢ遊技状態又はＲＢ遊技状態等のボーナス遊技状態でない場合には（Ｓ１３，ＮＯ）、『赤７-赤７-赤７−星印』、『青７-青７-青７−星印』等のボーナスに入賞したか否かが判定される（Ｓ１４）。そこで、ボーナスに入賞していれば（Ｓ１４、ＹＥＳ）、ボーナス開始信号を副制御回路７２に出力し（Ｓ１５）、Ｓ２が再実行される。なお、再実行された場合、次ゲーム時の遊技状態監視処理の実行時においてボーナス遊技状態にセットされることになる（Ｓ７参照）。一方、ボーナスに入賞していなければ（Ｓ１４、ＮＯ）、ＲＴ回数が『０』になる又はチェリーに入賞する等してＲＴが終了したか否かが判定される（Ｓ１６）。そこで、ＲＴが終了していなければ（Ｓ１６、ＮＯ）、ＲＡＭ３３に記憶されているＲＴ回数を減算してＳ２が再実行される。一方、ＲＴが終了していれば（Ｓ１６、ＹＥＳ）、ＲＴ終了信号を副制御回路７２に出力し（Ｓ１７）、Ｓ２が再実行される。なお、再実行された場合、次ゲーム時の遊技状態監視処理の実行時において一般遊技状態にセットされることになる（Ｓ７参照）。
【００６６】
一方、Ｓ１３において、遊技状態がＢＢ遊技状態又はＲＢ遊技状態等のボーナス遊技状態である場合には（Ｓ１３，ＹＥＳ）、ボーナスの『払出枚数のチェック処理』が行われる（Ｓ１８）。尚、ボーナスの『払出枚数のチェック処理』で所定の払出枚数に達するとボーナス遊技状態は終了となる。
【００６７】
この後、ボーナスの終了時であるか否かが判定され（Ｓ１９）、ボーナスの終了時でないと判定された場合には（Ｓ１９，ＮＯ）、Ｓ２が再実行される。一方、ボーナスの終了時であると判定された場合には（Ｓ１９，ＹＥＳ）、ＲＴが開始されたか否かが判定される（Ｓ２０）。そこで、ＲＴが開始されていない場合は（Ｓ２０、ＮＯ）、ボーナス終了信号を副制御回路７２に出力し（Ｓ２２）、Ｓ２が再実行される。なお、再実行された場合、次ゲーム時の遊技状態監視処理の実行時において一般遊技状態にセットされることになる（Ｓ７参照）。一方、ＲＴが開始された場合は（Ｓ２０、ＹＥＳ）、ＲＴ開始信号を副制御回路７２に出力し（Ｓ２１）、Ｓ２が再実行される。尚、ボーナスの種類に応じて所定のＲＴ回数が設定されることになる。また、Ｓ２が再実行された場合、次ゲーム時の遊技状態監視処理の実行時においてＲＴ遊技状態にセットされることになる（Ｓ７参照）。
【００６８】
（リール回転停止処理）
次に、図７にリール回転停止処理のフローチャートを示し、説明する。図７は、主制御回路７１におけるメインルーチンのリール回転停止処理（図６のＳ１０）の詳細を示すものである。
【００６９】
まず、ＣＰＵ３１は、停止ボタン７Ｌ・７Ｃ・７Ｒ・７Ｓのいずれかが有効に押圧操作されたか否かを判断する（Ａ１）。具体的には、各停止ボタン７Ｌ・７Ｃ・７Ｒ・７Ｓの押圧操作を変位センサー１０２・１０２Ｒ・１０２Ｓが検出したことに応じてリール停止信号回路４６から停止信号が出力されたか否かを判断する。そして、リール停止信号回路４６から停止信号が出力されていない場合は（Ａ１、ＮＯ）、Ａ１を繰り返すことで、停止信号の出力待ちとなる。
【００７０】
一方、リール停止信号回路４６から停止信号が出力された場合は（Ａ１、ＹＥＳ）、複数の停止ボタン７Ｌ・７Ｃ・７Ｒ・７Ｓが同時に押圧操作されたか否かを判断する（Ａ２）。具体的には、各停止ボタン７Ｌ・７Ｃ・７Ｒ・７Ｓの押圧操作を変位センサー１０２・１０２Ｒ・１０２Ｓが検出したことに応じてリール停止信号回路４６から複数同時に停止信号が出力されたか否かを判断する。そして、リール停止信号回路４６から複数同時に停止信号が出力されていない場合は（Ａ２、ＮＯ）、受信した停止信号に基づき図示しない停止テーブル群の中から停止テーブルを選択し、選択した停止テーブル、停止操作位置及び停止制御位置に基づいて滑りコマ数を決定する（Ａ４）。
【００７１】
ここで「停止テーブル」には、各リール３Ｌ・３Ｃ・３Ｒ・３Ｓの「停止操作位置」、及び「停止制御位置」が示されている。「停止操作位置」は、各リール３Ｌ・３Ｃ・３Ｒ・３Ｓに対応して設けられた停止ボタン７Ｌ・７Ｃ・７Ｒ・７Ｓが操作されたとき、センターラインに位置していた図柄（具体的には、図柄の中心がセンターラインの上方に位置し、その中心がセンターラインの位置に最も近い図柄）のコードナンバーを表わす。「停止制御位置」とは、停止操作が行われたリールが停止したとき、センターラインの位置に停止表示される図柄のコードナンバーを表わす。
【００７２】
一方、リール停止信号回路４６から複数同時に停止信号が出力された場合は（Ａ２、ＹＥＳ）、各停止操作ボタンの押圧操作による停止信号を７Ｌ＞７Ｃ＞７Ｒ＞７Ｓの優先順位で各停止信号を処理する（Ａ３）。そして、前述の滑りコマ数を決定する処理を行う（Ａ４）。
【００７３】
Ａ４の滑りコマ数を決定する処理に続いて、決定された滑りコマ数と現在の図柄位置に基づいて、停止予定位置を決定する（Ａ５）。次いで、ＣＰＵ３１は、リール停止信号を送信する（Ａ６）。
【００７４】
次に、ＣＰＵ３１は、回転中のリールはあるか否か（全てのリールが停止したか否か）を判断する（Ａ７）。そして、回転中のリールがある場合は（Ａ７、ＹＥＳ）、Ａ１に戻る。一方、回転中のリールがない場合は（Ａ７、ＮＯ）、ＣＰＵ３１は、全てのリールが停止したことを示す全リール停止信号を送信する（Ａ８）。これで、リール回転停止処理を終了する。
【００７５】
このように、停止ボタン７Ｒ・７Ｓが、相互に近接して配置されているため、遊技者の所望のタイミングで停止ボタン７Ｒ・７Ｓを同時にも個別にも操作することができる。また、停止ボタン７Ｒ・７Ｓを合わせた外形が停止ボタン７Ｌ・７Ｃの外形と同一視されるように構成されているため、遊技者は、停止ボタン７Ｌ・７Ｃと停止ボタン７Ｒ・７Ｓを連続して操作をする場合、テンポを損なわずに操作をすることができる。これにより、一つの停止ボタン７Ｒ・７Ｓの同時操作によりリール３Ｒ・３Ｓの変動表示をテンポを損なわずに停止させることができるため、遊技者は早く遊技を進めることができる。
【００７６】
（副制御回路７２の動作）
以上のようにして、遊技が実施されている場合等において、副制御回路７２においては、図示しないリセットルーチンを実行することにより液晶表示装置５に対して演出画像を画面表示する。例えば、遊技の中断中であれば、デモ画面が演出画像として液晶表示装置５に表示され、遊技中であれば、擬似リールや遊技状態に応じた演出画像が液晶表示装置５に表示される。
【００７７】
また、副制御回路７２においては、リセットルーチンを実行することによりスピーカ２１Ｌ・２１Ｒ・２１Ｂに対して演出効果音を出力させる。例えば、遊技の中断中であれば、デモ効果音が演出効果音としてスピーカ２１Ｌ・２１Ｒ・２１Ｂから発せられ、遊技中であれば、遊技状態に応じた演出効果音がスピーカ２１Ｌ・２１Ｒ・２１Ｂから発せられる。
【００７８】
（実施の形態２）
本実施の形態２に係る遊技機１の特徴は、第２停止操作手段の一つである停止ボタン７Ｓが環状の形状をしており、もう一つの第２停止操作手段としての停止ボタン７Ｒが環状の形状をした停止ボタン７Ｓ内に設けられている点にあり、その他の構成は実施の形態１と同様である。
【００７９】
（実施の形態２における停止ボタン７Ｌ・７Ｃ・７Ｒ・７Ｓの構造）
図８は、実施の形態２の遊技機１における操作パネル２００上の停止ボタン７Ｌ・７Ｃ・７Ｒ・７Ｓの構造を説明するための図である。図８（Ａ）は、実施の形態２における操作パネル２００の平面図であり、図８（Ｂ）は、操作パネル２００の断面図である。なお、実施の形態２における停止ボタン７Ｌ・７Ｃは、実施の形態１と同様であるため、停止ボタン７Ｒ・７Ｓを中心に以下説明する。
【００８０】
操作パネル２００は、キャビネット２の内部からキャビネット２の前面に取付けられている。そして、操作パネル２００は、基板２０１の収容された基板収容体２０２に停止ボタン部材２０３・２０４を挿通さるための穴の形成されたハウジング２０５が図示しない係合片によりキャビネット２に固定され、さらに、その上部に停止ボタン受け凹部２０６および停止ボタン挿入穴２０７が形成された表面パネル２０８が取付けられ、最後にバネ部材２０９・２１０の挿通された停止ボタン部材２０３・２０４が表面パネル２０８上部からハウジング２０５までを挿通して組付けられることにより構成されている。なお、これは、実施の形態１と同様である。
【００８１】
また、停止ボタン７Ｒ・７Ｓにおける停止ボタン部材２０３・２０４には遮光片部２１１・２１２と停止ボタン挿入部２１３・２１４とがそれぞれ形成されており、停止ボタン部材２０４は、図８（Ａ）・（Ｂ）に示すように、停止ボタン７Ｒを正面から見て停止ボタン部材２０３を取り囲むように環状形態をしており、停止ボタン部材２０３は、停止ボタン部材２０４に取り囲まれるように設けられている。一方、基板２０１の所定位置には、停止ボタン部材２０３・２０４等で構成される各停止ボタン７Ｒ・７Ｓの押圧による遮光片部２１１・２１２の変位を検出するための変位センサー２１５・２１６がそれぞれ設けられている。
【００８２】
このように、遊技機１が、環状の形状をした停止ボタン７Ｓと、その内に設けられた停止ボタン７Ｒを備えているため、遊技者は、環状の形状をした停止ボタン７Ｓと、その内に設けられた停止ボタン７Ｒの近接部分を押圧することで一つの操作により複数のリール３Ｌ・３Ｃ・３Ｒ・３Ｓの図柄の変動表示をテンポを損なわずに停止させることができる。これにより、遊技者は、環状の形状をした停止ボタン７Ｓ又はその内に設けられた停止ボタン７Ｒを押圧することで停止ボタン７Ｒ・７Ｓを個別に操作することができ、環状の形状をした停止ボタン７Ｓと、その内に設けられた停止ボタン７Ｒの近接部分を押圧することで停止ボタン７Ｒ・７Ｓを同時に操作することができるので、遊技者の所望のタイミングで複数の停止ボタン７Ｒ・７Ｓを押し分けることができる。
【００８３】
また、停止ボタン７Ｒ・７Ｓは、親指又は人差し指で一番操作し易い位置に、配置されている。前述したように、環状形態の停止ボタン７Ｓと、停止ボタン７Ｓ内に配備され停止ボタン７Ｒとは独立した構成とされている。停止ボタン７Ｓ・７Ｒは、それぞれ停止ボタン７Ｒの外周縁に、停止ボタン７Ｓの内周縁が沿っている。
【００８４】
また、停止ボタン７Ｒの外周縁の隆起高さと、停止ボタン７Ｓの内周縁の隆起高さの関係は、図８の（Ｂ）に示すように、停止ボタン７Ｒの外周縁は、該外周縁に隣接する停止ボタン７Ｓの内周縁より高く形成されている。そして、停止ボタン７Ｒと停止ボタン７Ｓの境界部近傍は極端な段差ではなく緩やかに湾曲した段差となっている。
【００８５】
また、停止ボタン７Ｒは、外周縁より中央部の方が少し高くなっており、外周縁から中央部に緩やかに湾曲している。停止ボタン７Ｓは内周縁より外周縁が高く形成され、外周部の高さは、停止ボタン７Ｒの中央部の高さと同程度である。
【００８６】
このように、停止ボタン７Ｒの外周縁は、近接する停止ボタン７Ｓの内周縁よりも高いため、停止ボタン７Ｒを押圧操作するときに、指先が停止ボタン７Ｒの操作面全体に触れた場合でも、停止ボタン７Ｓを操作してしまうことはなく、誤操作を防止することができる。また、停止ボタン７Ｓを操作するときは、その外周縁側を押せば、停止ボタン７Ｒを操作してしまうことはなく、誤操作を防止することができる。
【００８７】
また、停止ボタン７Ｓは外周縁側が内周縁側より高く隆起しているため、停止ボタン７Ｓを押圧操作する場合でも、指先がこの隆起部分に触れるため、停止ボタン７Ｒに触れることを防止でき、一層操作性を向上させることができる。
【００８８】
（実施の形態３）
本実施の形態３に係る遊技機１の特徴は、実施の形態１又は実施の形態２における停止操作ボタン７Ｒ・７Ｓの操作面をカバーし、かつ弾力性を有するカバー部材としてのカバー部材３００を備えている点にあり、その他の構成は実施の形態２と同様である。
【００８９】
（実施の形態３における停止ボタン７Ｌ・７Ｃ・７Ｒ・７Ｓの構造）
図９は、実施の形態３の遊技機１における操作パネル３０１上の停止ボタン７Ｌ・７Ｃ・７Ｒ・７Ｓの構造を説明するための図である。図９（Ａ）は、実施の形態３における操作パネル３０１の平面図であり、図９（Ｂ）は、操作パネル３０１の断面図である。なお、実施の形態３における停止ボタン７Ｌ・７Ｃ・７Ｒ・７Ｓの構造は、実施の形態２と同様であるため、カバー部材３００を中心に以下説明する。
【００９０】
実施の形態２で前述したように、環状形態の停止ボタン７Ｓと、停止ボタン７Ｓ内に配備され停止ボタン７Ｒとは独立した構成とされている。また、停止ボタン７Ｒの外周縁の隆起高さと、停止ボタン７Ｓの内周縁の隆起高さの関係は、図９の（Ｂ）に示すように、停止ボタン７Ｒの外周縁は、該外周縁に隣接する停止ボタン７Ｓの内周縁より高く形成されている。そして、停止ボタン７Ｒと停止ボタン７Ｓの境界部近傍は極端な段差ではなく緩やかに湾曲した段差となっている。
【００９１】
また、停止ボタン７Ｒは、外周縁より中央部の方が少し高くなっており、外周縁から中央部に緩やかに湾曲している。停止ボタン７Ｓは内周縁より外周縁が高く形成され、外周部の高さは、停止ボタン７Ｒの中央部の高さと同程度である。
【００９２】
そして、図９（Ａ）（Ｂ）に示すように、停止ボタン７Ｒ・７Ｓの操作面を覆うカバー部材３００が停止ボタン７Ｒ・７Ｓ全面に設けられている。具体的には、カバー部材３００は、停止ボタン７Ｓの外周縁と停止ボタン７Ｒの中央部に接触するように覆われている。カバー部材３００は、弾力性を有する樹脂材料で構成されている。なお、カバー部材が弾力性を有するのであれば、ゴム、ＡＢＳ樹脂、軟質性樹脂等でもよい。
【００９３】
このように、カバー部材３００が停止ボタン７Ｒ・７Ｓの操作面をカバーしているため、外部からは停止ボタン７Ｒ・７Ｓが、相互に近接して設けられていることを分からなくすることができる。また、カバー部材３００が弾力性を有するため、カバー部材３００表面へ押圧する部分や力の変化により、遊技者の意図するところとは別に停止ボタン７Ｒ・７Ｓを同時にも個別にも操作することができる。これにより、停止ボタン７Ｒ・７Ｓの押し分けを難しくすることができ、遊技者に停止ボタン７Ｒ・７Ｓを操作する際に多様な操作感覚を与えることができる。
【００９４】
（本実施の形態の概要）
以上のように、本実施の形態の遊技機１は、操作に応じて遊技開始指令信号を出力する遊技開始指令手段（スタートレバー６、スタートスイッチ６Ｓ等）と、前記遊技開始指令手段から出力された前記遊技開始信号を検出したことに基づいて、複数種類の図柄（「赤７」１２０、「青７」１２６、「プラム」１２２、「ＢＡＲ」１２４、「スイカ」１２３、「Ｒｅｐｌａｙ」１２１、「チェリー」１２５、「星印」１３０、「ブランク」１３１）から構成されている識別情報を変動表示する変動表示手段（リール３Ｌ・３Ｃ・３Ｒ・３Ｓ、ステッピングモータ４９Ｌ・４９Ｃ・４９Ｒ・４９Ｓ等）と、前記遊技開始指令手段から出力された前記遊技開始信号と遊技状態とに基づいて、当籤役を決定する当籤役決定手段（主制御回路７１、ＣＰＵ３１等）と、外部からの操作に応じて対応する前記変動表示手段の前記識別情報の変動表示の停止を指令する停止指令信号を出力する複数の第１停止操作手段（停止ボタン７Ｌ・７Ｃ）と、相互に近接して配置されており、合わせた外形が前記第１停止操作手段の外形と同一視されるように構成され、外部からの操作に応じて前記停止指令信号を出力する複数の第２停止操作手段（停止ボタン７Ｒ・７Ｓ）と、前記停止指令信号を検知したことに応じて、前記停止指令信号に対応する前記変動表示手段の識別情報の変動表示を停止させる停止制御手段（主制御回路７１、リール停止信号回路４６等）とを備えた構成とされている。
【００９５】
上記の構成によれば、第２停止操作手段が、相互に近接して配置されているため、遊技者の所望のタイミングで第２停止操作手段を同時にも個別にも操作することができる。また、第２停止操作手段を合わせた外形が第１停止操作手段の外形と同一視されるように構成されているため、遊技者は、第１停止操作手段と第２停止操作手段を連続して操作をする場合、テンポを損なわずに操作をすることができる。これにより、一つの操作により複数の変動表示手段の識別情報の変動表示をテンポを損なわずに停止させることができるため、遊技者は早く遊技を進めることができる。
【００９６】
また、本発明の遊技機１において、前記第２停止操作手段は、半円状の形状をしており、前記第２停止操作手段を合わせた外形が円形状とした構成とされている。
【００９７】
上記の構成によれば、第２停止操作手段は、半円状の形状をしており、第２停止操作手段を合わせた外形が円形状となっているため、遊技者は、第２停止操作手段を合わせた部分を押圧することで一つの操作により複数の変動表示手段の識別情報の変動表示をテンポを損なわずに停止させることができる。これにより、遊技者は、半円状の第２停止操作手段を押圧することで第２停止操作手段を個別に操作することができ、半円状の第２停止操作手段を合わせた部分を押圧することで複数の第２停止操作手段を同時に操作することができるので、遊技者の所望のタイミングで複数の第２停止操作手段を押し分けることができる。
【００９８】
また、本発明の遊技機１において、前記第２停止操作手段の一つは、環状の形状をしており、前記第２停止操作手段の一つは、前記環状の形状をした第２停止操作手段内に設けられた構成としてもよい。
【００９９】
上記の構成によれば、環状の形状をした第２停止操作手段と、その内に設けられた第２停止操作手段を備えているため、遊技者は、環状の形状をした第２停止操作手段と、その内に設けられた第２停止操作手段の近接部分を押圧することで一つの操作により複数の変動表示手段の識別情報の変動表示をテンポを損なわずに停止させることができる。これにより、遊技者は、環状の形状をした第２停止操作手段又はその内に設けられた第２停止操作手段を押圧することで第２停止操作手段を個別に操作することができ、環状の形状をした第２停止操作手段と、その内に設けられた第２停止操作手段の近接部分を押圧することで第２停止操作手段を同時に操作することができるので、遊技者の所望のタイミングで複数の第２停止操作手段を押し分けることができる。
【０１００】
また、本発明の遊技機１において、前記第２停止操作手段は、前記第２停止操作手段の操作面を少なくともカバーし、かつ弾力性を有するカバー部材（カバー部材３００）を備えた構成としてもよい。
【０１０１】
上記の構成によれば、カバー部材が第２停止操作手段の操作面をカバーしているため、外部からは第２停止操作手段が、相互に近接して設けられていることを分からなくすることができる。また、カバーが弾力性を有するため、カバー表面へ押圧する部分や力の変化により、遊技者の意図するところとは別に複数の第２停止操作手段を同時にも個別にも操作することができる。これにより、複数の第２停止操作手段の押し分けを難しくすることができ、遊技者に第２停止操作手段を操作する際に多様な操作感覚を与えることができる。
【０１０２】
（本実施形態の変形例）
以上、本発明を好適な実施の形態に基づいて説明したが、本発明はこれに限定されるものではなく、遊技機は、以下の構成を上述の実施の形態における構成に加えて、或いは重複、置き換えて備えていてもよい。
【０１０３】
例えば、本発明の実施形態に係る遊技機１では、第２停止操作手段としての停止ボタン７Ｒ・７Ｓが相互に近接して配置されており、合わせた外形が停止ボタン７Ｌ・７Ｃの外形と同一視されるように構成されているが、停止ボタン７Ｌ・７Ｃの停止ボタンの位置に第２停止操作手段としての停止ボタンを配置してもよい。
【０１０４】
この場合、演出内容や遊技内容に合わせて、遊技機メーカーが便宜第２停止操作手段としての停止ボタンを配置することができる。
【０１０５】
また、本実施形態においては、リールが４本（リール３Ｌ・３Ｃ・３Ｒ・３Ｓ）の場合で説明したが、リールが５本以上ある場合では、便宜本実施形態に係る停止ボタン７Ｒ・７Ｓに示した第２停止操作手段と同じ構成のものをリールに対応させて停止ボタン７Ｌ・７Ｃの位置に設けてもよい。
【０１０６】
この場合、遊技機のリール数に合わせて、遊技機メーカーが便宜第２停止操作手段としての停止ボタンを配置することができる。
【０１０７】
また、第２停止操作手段としての停止ボタン７Ｒ・７Ｓは、半円状の形状をしており、停止ボタン７Ｒ・７Ｓを合わせた外形が円形状となるように構成されている。
【０１０８】
この場合、停止ボタン７Ｒと停止ボタン７Ｓを、それぞれ合わせた形状が、従来の停止ボタンと同様な円形状となるので、従来の遊技機を流用することができる。このため、遊技機メーカーは、外観の変化を最小限に抑えることができ、コストを最小限に抑えることができる。
【０１０９】
また、遊技機は、所定の遊技結果が表示された場合に遊技者に遊技価値を付与する遊技価値付与手段と、遊技開始指令信号に基づいて所定の役を内部当籤役として決定する内部当籤役決定手段と、内部当籤役に基づいて変動表示手段に入賞態様を表示させる停止制御手段と、演出表示手段に遊技に関連した演出態様を表示させる演出表示制御手段と、遊技結果表示手段に特定の遊技結果が表示される以前に、特定の遊技結果が表示される可能性があることを予告表示手段に予告態様を表示させる予告表示制御手段と、遊技結果表示手段に特定の遊技結果が表示される以前に、特定の遊技結果が表示されることを告知表示手段に告知態様を表示させる予告表示制御手段と、遊技結果表示手段の表示制御を行なう表示制御手段と、遊技結果表示手段又は変動表示手段の一部又は全部の可変表示を停止させる停止指令信号を出力する遊技者による操作が可能な位置に設けられた表示停止指令手段と、所定の単位遊技で内部当籤役決定手段が内部当籤役として決定した特定の役を次回の単位遊技にも内部当籤役として持ち越す内部当籤役持越手段と、内部当籤役決定手段が内部当籤役として決定した特定の役を蓄積して記憶する特定役蓄積手段と、特定役蓄積手段が蓄積して記憶している特定の役を内部当籤役とする蓄積特定役当籤手段とを少なくとも１つ以上備えていてもよい。
【０１１０】
ここで、上記の『遊技結果表示手段』は、まとめると変動表示手段、演出表示手段、告知表示手段等を含んで構成されている。それらが、別体の表示装置であってもよいし、単一の表示装置に設けられた所定の表示部（スプライト、深度の異なる３Ｄオブジェクト）でもよい。また、重なって表示されてもよい。さらには、１又は複数の音、１又は複数の光、１又は複数の色、１又は複数の画像、１又は複数の臭い等、１又は複数の感触（振動、圧力）のうちの何れかの、複数又は全部により遊技者に報知を行うようになっていてもよい。
【０１１１】
『遊技価値付与手段』は、遊技価値（コイン）を付与（払出）するプログラム等、有利状態発生手段を含み、賞媒体の払出、磁気カードへの記録、ゲームの得点加算も含む。
【０１１２】
『表示制御手段』は、まとめると停止制御手段、演出表示制御手段、告知表示制御手段等を含んで構成されている。単一の基板に設けられていても、別体の複数の基板に設けられてもよいし、停止制御手段は内部当籤役決定手段と同一の基板に設けられてもよい。（別体でもよい。）さらには、演出表示制御手段及び告知表示制御手段は、内部当籤役決定手段と別体の基板に設けられてもよい。（別体でもよい。）
【０１１３】
『変動表示手段』は、静止画像・動画像等を表示するものであり、リールやディスクによる移動表示、複数種類の図柄を可変表示または停止表示する１又は複数の図柄表示部から構成されている。例えばパチスロ機やビデオスロットの図柄、パチンコの特図、音図、判定図柄等を表示する。また、遊技結果として、特定の入賞態様を表示すれば何でもよい。
【０１１４】
『表示停止指令手段』は、演出表示手段、変動表示手段、告知表示手段等のうちの１つ、複数、全ての可変表示を停止させる信号を出力してもよいし、１つ又は複数の表示部に対応して１つ設けられていてもよい（表示部は、図柄表示部等）。或いは、１つの表示部に対応して複数設けられていてもよい（表示部は、図柄表示部等）。
【０１１５】
『有利状態発生手段』は、複数の遊技単位の間、継続して遊技者に有利な状態が続くものであれば何でもよい。例えば発生判定、継続判定、途中終了判定、発生、継続、終了等を行うプログラム等である。また、『内部当籤役決定手段』は、内部当籤役抽籤手段、内部当籤役持越手段、特定役蓄積手段、蓄積特定役当籤手段等から構成されている。
【０１１６】
尚、本実施の形態において、『遊技機』は、パチンコ、パチスロ機、ビデオスロット等を含む。『遊技結果』は、入賞態様、外れ態様、演出態様、告知態様等を含む。『特定の入賞態様』は、特定の図柄の表示（『３』、『７』等）や特定の図柄の組合せの表示（『７７７』『７７６』等）、複数の図柄のうちに特定の図柄が含まれている（単チェリー、２連チェリー等）等を含む。
【０１１７】
『外れ態様』は、変動表示手段に表示される入賞態様以外の態様、演出態様、告知態様等を含む。『所定の遊技結果』は、入賞態様等を含む。『演出態様』は、客待ち中、遊技中、遊技間、入賞（前、中、後）、有利状態（前、中、後）等を盛り上げる態様、または、それらの遊技情報（遊技案内）の報知態様、その他の態様等を含み、『大当り』、『ボーナス』、『外れ』、有利状態の継続数等の文字も含む。
【０１１８】
『予告態様』は、所定の内部当籤役または特定の内部当籤役が決定されている可能性があることを遊技者に対して予告する態様や外れを予告する態様、また、その演出態様を含む。『外れ？』、『ベル？』、『大当り当籤？』、『ボーナス当籤？』、『遊技手順ナビゲート機能当籤？』等の文字も含む。『告知態様』は、所定の内部当籤役または特定の内部当籤役が決定されていることを遊技者に対して告知する態様や、所定の内部当籤役または特定の内部当籤役が決定されていないことを遊技者に対して告知する態様、また、その演出態様を含む。『大当り確定』、『ボーナス確定』、『外れ確定』、『ベル確定』、『遊技手順ナビゲート機能当籤？』等の文字も含む。
【０１１９】
『態様』は、１又は複数の図柄（動／静止）画像、１又は複数のキャラクタ（動／静止）画像、１又は複数の背景（動／静止）画像、１又は複数の吹出し（動／静止）画像、１又は複数の文字、１図形、１又は複数の可動物の所定の動作等、１又は複数のランプの点灯、点滅等、１又は複数のスピーカの音等を含む。『遊技情報』は、遊技コンセプト（背景）、遊技のルール、操作説明、リーチ目、チャンス目、役・リプレイの説明、有利状態（ＢＢ，ＲＢ，ＳＢ等）の説明、有利状態（ＢＢ，ＲＢ等）、確率、所定時点（ボーナス、ＢＢ，ＲＢ、所定操作等）からの経過ゲーム数等を含む。
【０１２０】
『遊技開始指令手段』は、スタートレバー、スピンボタン等のスイッチ、遊技媒体投入、図柄始動口（ゲート）等を含む。『表示停止指令手段』は、ボタン、レバー、プログラム（計時手段）等を含む。『図柄表示手段』は、ＣＲＴ，ＬＣＤ、プラズマディスプレイ、７セグメント表示器、ドットマトリックス、ランプ、ＬＥＤ、蛍光灯、ＥＬ、電子ペーパ、フレキシブルＬＥＤ、フレキシブル液晶、液晶プロジェクタ、リール、ディスク、可動物等を含む。それらが複数設けられたもの、それらが組合せられたもの等を含む。
【０１２１】
『内部当籤役』は、複数の役から内部当籤役決定手段により内部当籤役として決定された１または複数の役を含む。『入賞役』は、内部当籤役に対応する入賞態様が表示された役を含む。『遊技価値』は、賞媒体（コイン、メダル、遊技球）の払出し、遊技結果記憶媒体（磁気カード等への所定の書き込み、リプレイ、得点の加算、有利状態の発生等を含む。『遊技媒体（賞媒体）』は、コイン、メダル、遊技球、貨幣、紙幣、磁気カード等を含む。
【０１２２】
また、パチスロ等における役は、次のうちの１または複数を適用してもよい。外れ、所定枚数の賞媒体を払出す小役、内部当籤役決定手段が小役を内部当籤役と決定する確率を１単位遊技（１ゲーム）の間だけ高確率とするシングルボーナス、内部当籤役決定手段が小役を内部当籤役と決定する確率を複数単位遊技の間だけ高確率とするレギュラーボーナス、内部当籤役決定手段がレギュラーボーナスを内部当籤役に決定する確率を複数単位遊技の間だけ高確率とするビッグボーナス、内部当籤役決定手段が決定した内部当籤役に関する情報を遊技者による表示停止指令手段の操作より以前に報知する内部当籤役ナビゲート機能。停止パターン選択手段が選択した停止パターンに関する情報を遊技者による表示停止指令手段の操作より以前に報知する押順ナビゲート機能。遊技者にとって有利となる遊技手順を報知する遊技手順ナビゲート機能。
【０１２３】
例えば、上述の内部当籤役ナビゲート機能は、左リール、中リール、右リールに対応する左、中、右リール停止ボタンを停止操作する以前に報知されるリール停止パターン（例えば、最初に左リールを停止し、次に中リールを停止、最後に右リールを停止するパターン、同様に左リール停止→右リール停止→中リール停止のパターン、中リール停止→右リール停止→左リール停止のパターン、中リール停止→左リール停止→右リール停止のパターン、右リール停止→左リール停止→中リール停止のパターン、右リール停止→中リール停止→左リール停止のパターンの６種類等）にしたがって、左、中、右リール停止ボタンを停止操作することで変動表示手段に所定の入賞態様が得られるリール停止ナビゲート機能等を含む。リール停止ナビゲート機能は全てのリール（リール以外で図柄を可変表示する画像表示手段も含まれる）の停止順序をナビゲートしなくても、所定回目（例えば、最初、２番目、３番目等）に停止させるリールを遊技者に報知するようなナビゲート機能も含む。また、所定回目に停止させるリールに所定の図柄が表示されている状態でリールを停止させた場合に変動表示手段に所定の入賞態様が得られるものも含む。遊技者による表示停止指令手段からの停止指令信号の出力から最小移動（又は略最小変動）で図柄を停止させる機能や、遊技媒体の投入無しで１単位遊技の遊技を開始できるリプレイも含む。
【０１２４】
また、１回の単位遊技は、例えば次のようなもののうち何れかを適用してもよい。遊技開始指令手段からの遊技開始指令信号の出力から遊技結果の表示まで。スタートレバーの操作から変動表示手段（所定の表示手段）に遊技結果が表示されるまで。スタートレバーの操作から所定の表示手段に特定の表示（例えば、特定の文字情報、特定のキャラクタ、特定の画像）が表示されるまで。ベットボタンが遊技者により操作されたこと、または遊技メダルが遊技者により投入されたこと、等により遊技開始指令信号を出力するように構成し、ベットボタンの操作または遊技メダルの投入から変動表示手段に遊技結果が表示されるまで。ベットボタンが遊技者により操作されたこと、または遊技メダルが遊技者により投入されたこと、等により遊技開始指令信号を出力するように構成し、ベットボタンの操作または遊技メダルの投入から所定の表示手段に特定の表示が表示されるまで。遊技開始指令信号を出力する図柄始動手段が遊技媒体（例えば遊技球）の入賞または通過を検出してから変動表示手段（所定の表示手段）に遊技結果が表示されるまで。遊技開始指令信号を出力する図柄始動手段が遊技媒体の入賞または通過を検出してから所定の表示手段に特定の表示（例えば、特定の文字情報、特定のキャラクタ、特定の画像）が表示されるまで。また、複数単位遊技は、連続的または間欠的な複数回の単位遊技を適用してもよい。
【０１２５】
本実施形態においては、本発明をパチスロ遊技装置に適用した場合について説明したが、本発明を他の遊技機（例えば、パチンコ遊技装置、スロットマシン等）に適用することも可能である。
【０１２６】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明の実施の形態に記載されたものに限定されるものではない。
【図面の簡単な説明】
【０１２７】
【図１】本実施形態に係る遊技機の正面図である。
【図２】（Ａ）実施の形態１に係る操作パネルの平面図である。            （Ｂ）実施の形態１に係る操作パネルのＡ−Ａ’断面図である。
【図３】本実施形態に係る図柄配置表である。
【図４】本実施形態に係る主制御回路のブロック図である。
【図５】本実施形態に係る副制御回路のブロック図である。
【図６】メインルーチンのフローチャートである。
【図７】リール回転停止処理のフローチャートである。
【図８】（Ａ）実施の形態２に係る操作パネルの平面図である。           （Ｂ）実施の形態２に係る操作パネルのＢ−Ｂ′断面図である。
【図９】（Ａ）実施の形態３に係る操作パネルの平面図である。           （Ｂ）実施の形態３に係る操作パネルのＣ−Ｃ′断面図である。
【符号の説明】
【０１２８】
１  遊技機
３Ｌ・３Ｃ・３Ｒ・３Ｓ  リール
６  スタートレバー
６Ｓ  スタートスイッチ
７Ｌ・７Ｃ・７Ｒ・７Ｓ  停止ボタン
３１  ＣＰＵ
４６  リール停止信号回路
４９Ｌ・４９Ｃ・４９Ｒ・４９Ｓ  ステッピングモータ
７１  主制御回路
９０  操作パネル
【図１】
2009101002.tif 000003
【図２】
2009101002.tif 000004
【図３】
2009101002.tif 000005
【図４】
2009101002.tif 000006
【図５】
2009101002.tif 000007
【図６】
2009101002.tif 000008
【図７】
2009101002.tif 000009
【図８】
2009101002.tif 000010
【図９】
2009101002.tif 000011